(57)【要約】【課題】画像解像度の改善装置及び方法を提供する。【解決手段】共振周波数検出部１４０が検出したスキャナー１３０の共振周波数とディスプレイ画面の水平解像度とを乗算する第１乗算部１５０、第１乗算部１５０の乗算結果に対応するピクセル周波数を発振する第１周波数発振部１６０、及び第１周波数発振部１６０で発振されたピクセル周波数に対応するパルスを生成し、生成されたパルスを波形生成部１１０に出力する第１パルス生成部１７０を備え、波形生成部１１０は、第１パルス生成部１７０で生成されたパルスが付加された波形を生成する。【選択図】図１
2007183606.tif 000002
【特許請求の範囲】
【請求項１】
スキャナー、同期検出部、波形生成部、高圧増幅部、及び共振周波数検出部を備える画像解像度の改善装置であって、
前記共振周波数検出部が検出した前記スキャナーの共振周波数とディスプレイ画面の水平解像度とを乗算する第１乗算部と、
前記第１乗算部の乗算結果に対応するピクセル周波数を発振する第１周波数発振部と、
前記第１周波数発振部で発振されたピクセル周波数に対応するパルスを生成し、当該生成されたパルスを前記波形生成部に出力する第１パルス生成部と、を備え、
前記波形生成部は、前記第１パルス生成部で生成されたパルスが付加された波形を生成することを特徴とする画像解像度の改善装置。
【請求項２】
前記波形生成部は、前記パルスが合成された三角波、前記パルスが合成された矩形波、及び前記パルスが合成された正弦波のうち何れか一つの波形を生成することを特徴とする請求項１に記載の画像解像度の改善装置。
【請求項３】
前記画像解像度の改善装置は、静電容量マイクロミラーを使用するディスプレイ機器に備えられることを特徴とする請求項１に記載の画像解像度の改善装置。
【請求項４】
スキャナー、同期検出部、波形生成部、高圧増幅部、及び共振周波数検出部を備える画像解像度の改善装置であって、
前記共振周波数検出部が検出した前記スキャナーの共振周波数とディスプレイ画面の水平解像度とを乗算する第２乗算部と、
前記第２乗算部の乗算結果に対応するピクセル周波数を発振する第２周波数発振部と、
前記第２周波数発振部で発振されたピクセル周波数に対応するパルスを生成する第２パルス生成部と、
前記波形生成部で生成されて前記高圧増幅部で増幅された波形と、前記第２パルス生成部で生成されたパルスとを合成し、合成された波形を前記スキャナーに出力する第１合成部と、を備えることを特徴とする画像解像度の改善装置。
【請求項５】
前記第１合成部は、前記パルスが合成された三角波、前記パルスが合成された矩形波、及び前記パルスが合成された正弦波のうち何れか一つの波形を出力することを特徴とする請求項４に記載の画像解像度の改善装置。
【請求項６】
前記画像解像度の改善装置は、静電容量マイクロミラーを使用するディスプレイ機器に備えられることを特徴とする請求項４に記載の画像解像度の改善装置。
【請求項７】
スキャナー、同期検出部、波形生成部、高圧増幅部、及び共振周波数検出部を備える画像解像度の改善装置であって、
前記共振周波数検出部が検出した前記スキャナーの共振周波数とディスプレイ画面の水平解像度とを乗算する第３乗算部と、
前記第３乗算部の乗算結果に対応するピクセル周波数を発振する第３周波数発振部と、
前記第３周波数発振部で発振されたピクセル周波数に対応するパルスを生成する第３パルス生成部と、
前記波形生成部で生成された波形と前記第３パルス生成部で生成されたパルスとを合成し、前記合成された波形を前記高圧増幅部に出力する第２合成部と、を備えることを特徴とする画像解像度の改善装置。
【請求項８】
前記第２合成部は、前記パルスが合成された三角波、前記パルスが合成された矩形波、及び前記パルスが合成された正弦波のうち何れか一つの波形を出力することを特徴とする請求項７に記載の画像解像度の改善装置。
【請求項９】
前記画像解像度の改善装置は、静電容量マイクロミラーを使用するディスプレイ機器に備えられることを特徴とする請求項７に記載の画像解像度の改善装置。
【請求項１０】
スキャナー、同期検出部、波形生成部、高圧増幅部、及び共振周波数検出部を備える画像解像度の改善方法であって、
（ａ）前記共振周波数検出部が検出した前記スキャナーの共振周波数とディスプレイ画面の水平解像度とを乗算するステップと、
（ｂ）前記乗算結果に対応するピクセル周波数を発振するステップと、
（ｃ）前記発振されたピクセル周波数に対応するパルスを生成し、前記波形発生部に出力するステップと、
（ｄ）前記パルスが付加された波形を前記波形生成部が生成するステップと、
（ｅ）前記生成された波形を前記高圧増幅部が増幅するステップと、
（ｆ）前記増幅された波形にしたがって前記スキャナーが画像を走査するステップと、を含むことを特徴とする画像解像度の改善方法。
【請求項１１】
前記（ｄ）ステップは、前記パルスが合成された三角波、前記パルスが合成された矩形波、及び前記パルスが合成された正弦波のうち何れか一つの波形を生成することを特徴とする請求項１０に記載の画像解像度の改善方法。
【請求項１２】
前記画像解像度の改善方法は、静電容量マイクロミラーを使用するディスプレイ機器で行われることを特徴とする請求項１０に記載の画像解像度の改善方法。
【請求項１３】
請求項１０に記載の方法を実行するためのプログラムを記録したコンピュータで読み取り可能な記録媒体。
【請求項１４】
スキャナー、同期検出部、波形生成部、高圧増幅部、及び共振周波数検出部を備える画像解像度の改善方法であって、
（ａ）前記共振周波数検出部が検出した前記スキャナーの共振周波数とディスプレイ画面の水平解像度とを乗算するステップと、
（ｂ）前記乗算結果に対応するピクセル周波数を発振するステップと、
（ｃ）前記発振されたピクセル周波数に対応するパルスを生成するステップと、
（ｄ）前記波形生成部で生成されて前記高圧増幅部で増幅された波形と、前記生成されたパルスとを合成し、合成された波形を前記スキャナーに出力するステップと、
（ｅ）前記合成された波形にしたがって前記スキャナーが画像を走査するステップと、を含むことを特徴とする画像解像度の改善方法。
【請求項１５】
前記（ｄ）ステップは、前記パルスが合成された三角波、前記パルスが合成された矩形波、及び前記パルスが合成された正弦波のうち何れか一つの波形を出力することを特徴とする請求項１４に記載の画像解像度の改善方法。
【請求項１６】
前記画像解像度の改善方法は、静電容量マイクロミラーを使用するディスプレイ機器で行われることを特徴とする請求項１４に記載の画像解像度の改善方法。
【請求項１７】
請求項１４に記載の方法を実行するためのプログラムを記録したコンピュータで読み取り可能な記録媒体。
【請求項１８】
スキャナー、同期検出部、波形生成部、高圧増幅部、及び共振周波数検出部を備える画像解像度の改善方法であって、
（ａ）前記共振周波数検出部が検出した前記スキャナーの共振周波数とディスプレイ画面の水平解像度とを乗算するステップと、
（ｂ）前記乗算結果に対応するピクセル周波数を発振するステップと、
（ｃ）前記発振されたピクセル周波数に対応するパルスを生成するステップと、
（ｄ）前記波形生成部で生成された波形と前記生成されたパルスとを合成し、合成された波形を前記高圧増幅部に出力するステップと、
（ｅ）前記合成された波形を前記高圧増幅部が増幅するステップと、
（ｆ）前記増幅された波形にしたがって前記スキャナーが画像を走査するステップと、を含むことを特徴とする画像解像度の改善方法。
【請求項１９】
前記（ｄ）ステップは、前記パルスが合成された三角波、前記パルスが合成された矩形波、及び前記パルスが合成された正弦波のうち何れか一つの波形を出力することを特徴とする請求項１８に記載の画像解像度の改善方法。
【請求項２０】
前記画像解像度の改善方法は、静電容量マイクロミラーを使用するディスプレイ機器で行われることを特徴とする請求項１８に記載の画像解像度の改善方法。
【請求項２１】
請求項１８に記載の方法を実行するためのプログラムを記録したコンピュータで読み取り可能な記録媒体。
【発明の詳細な説明】
【技術分野】
【０００１】
本発明は、画像の水平解像度を改善するための画像解像度の改善装置、画像解像度の改善方法、及び記録媒体に関する。
【背景技術】
【０００２】
マイクロミラーを静電方式で駆動させる場合、水平駆動手段は、水平同期検出器と、三角波、矩形波、または正弦波波形発生器と、これらの波形を高圧に増幅させるための高圧増幅器とから構成され、垂直駆動手段は、垂直同期検出器と、凹凸波形の波形発生器と、この波形を高圧に増幅させるための高圧増幅器とから構成される。
【０００３】
マイクロミラーを静電方式で駆動させる場合、水平駆動のための駆動電圧は、三角波、矩形波、または正弦波で単純にマイクロミラーに印加され、垂直駆動のための駆動電圧は、水平同期信号に合わせてマイクロミラーに印加されている。
【０００４】
水平動作では、垂直動作のように移動と停止とが繰り返されることが望ましい。しかしながら、水平動作の特性上、共振を引き起こす構造になっているため、連続的な角度の増加及び減少が起きる。したがって、一つのピクセル内にスポットが留まらないために、ピクセル間の画像情報の重複現象によって、実際的な画像解像度が低下するという問題がある。
【発明の開示】
【発明が解決しようとする課題】
【０００５】
本発明が解決しようとする技術的課題は、画像情報に含まれているピクセル周波数を考慮してマイクロミラーを駆動することによって、水平解像度を改善する画像解像度の改善装置及び方法を提供することである。
【課題を解決するための手段】
【０００６】
上記課題を達成するために、本発明による画像解像度の改善装置は、共振周波数検出部が検出したスキャナーの共振周波数とディスプレイ画面の水平解像度とを乗算する第１乗算部、第１乗算部の乗算結果に対応するピクセル周波数を発振する第１周波数発振部、及び第１周波数発振部で発振されたピクセル周波数に対応するパルスを生成し、生成されたパルスを波形生成部に出力する第１パルス生成部を備え、波形生成部は、第１パルス生成部で生成されたパルスが付加された波形を生成することを特徴とする。
【０００７】
上記課題を達成するために、本発明による画像解像度の改善装置は、共振周波数検出部が検出したスキャナーの共振周波数とディスプレイ画面の水平解像度とを乗算する第２乗算部、第２乗算部の乗算結果に対応するピクセル周波数を発振する第２周波数発振部、第２周波数発振部で発振されたピクセル周波数に対応するパルスを生成する第２パルス生成部、及び波形生成部で生成されて高圧増幅部で増幅された波形と、第２パルス生成部で生成されたパルスとを合成し、合成された波形をスキャナーに出力する第１合成部を備えることを特徴とする。
【０００８】
上記課題を達成するために、本発明による画像解像度の改善装置は、共振周波数検出部が検出したスキャナーの共振周波数とディスプレイ画面の水平解像度とを乗算する第３乗算部、第３乗算部の乗算結果に対応するピクセル周波数を発振する第３周波数発振部、第３周波数発振部で発振されたピクセル周波数に対応するパルスを生成する第３パルス生成部、及び波形生成部で生成された波形と第３パルス生成部で生成されたパルスとを合成し、合成された波形を高圧増幅部に出力する第２合成部を備えることを特徴とする。
【０００９】
上記課題を達成するために、本発明による画像解像度の改善方法は、共振周波数検出部が検出したスキャナーの共振周波数とディスプレイ画面の水平解像度とを乗算するステップ、乗算結果に対応するピクセル周波数を発振するステップ、発振されたピクセル周波数に対応するパルスを生成して波形発生部に出力するステップ、パルスが付加された波形を波形生成部が生成するステップ、生成された波形を高圧増幅部が増幅するステップ、及び増幅された波形にしたがってスキャナーが画像を走査するステップを含むことを特徴とする。
【００１０】
上記課題を達成するために、本発明による画像解像度の改善方法は、共振周波数検出部が検出したスキャナーの共振周波数とディスプレイ画面の水平解像度とを乗算するステップ、乗算結果に対応するピクセル周波数を発振するステップ、発振されたピクセル周波数に対応するパルスを生成するステップ、波形生成部で生成されて高圧増幅部で増幅された波形と、生成されたパルスとを合成し、合成された波形をスキャナーに出力するステップ、及び合成された波形にしたがってスキャナーが画像を走査するステップを含むことを特徴とする。
【００１１】
上記課題を達成するために、本発明による画像解像度の改善方法は、共振周波数検出部が検出したスキャナーの共振周波数とディスプレイ画面の水平解像度とを乗算するステップ、乗算結果に対応するピクセル周波数を発振するステップ、発振されたピクセル周波数に対応するパルスを生成するステップ、波形生成部で生成された波形と生成されたパルスとを合成し、合成された波形を高圧増幅部に出力するステップ、合成された波形を高圧増幅部が増幅するステップ、及び増幅された波形にしたがってスキャナーが画像を走査するステップを含むことを特徴とする。
【発明の効果】
【００１２】
本発明による画像解像度の改善装置及び方法によれば、画像情報に含まれているピクセル周波数を考慮してスキャナーのマイクロミラーが駆動されるため、水平解像度を改善することができる。
【発明を実施するための最良の形態】
【００１３】
以下、本発明の画像解像度の改善装置を添付された図面を参照して詳細に説明する。
【００１４】
図１は、本発明の一実施形態における画像解像度の改善装置を説明するためのブロック図である。図１に示す画像解像度の改善装置は、静電容量マイクロミラーをスキャナーとして使用するディスプレイ機器に備えられる。
【００１５】
図１に示されるとおり、本発明の一実施形態における画像解像度の改善装置は、同期検出部１００、波形生成部１１０、高圧増幅部１２０、スキャナー１３０、共振周波数検出部１４０、第１乗算部１５０、第１周波数発振部１６０、及び第１パルス生成部１７０から構成される。
【００１６】
同期検出部１００は、画像の水平同期信号を検出し、検出した結果を波形生成部１１０に出力する。
【００１７】
波形生成部１１０は、三角波、矩形波、または正弦波を生成し、生成した波形を高圧増幅部１２０に出力する。
【００１８】
特に、波形生成部１１０は、第１パルス生成部１７０から受信したパルスを三角波、矩形波、または正弦波と合成し、パルスが合成された三角波、矩形波、または正弦波を出力する。
【００１９】
図２は、パルス生成部１７０で生成されたパルスの一例を示す図である。パルスの間隔は、第１周波数発振部１６０で発振された周波数によって決定される。
【００２０】
図３は、図２に示されたパルスが合成された多様な波形の一例を示す波形図である。図３Ａは、三角波と図２のパルスとが合成された波形図であり、図３Ｂは、正弦波と図２のパルスとが合成された波形図であり、図３Ｃは、矩形波と図２のパルスとが合成された波形図である。図３Ａないし図３Ｃに示したように、波形生成部１１０によって生成された波形は、従来の波形と異なる。すなわち、従来の波形は、経時的に緩やかに変化する形態の三角波、矩形波、または正弦波であったが、本願発明による波形は、各ピクセルに対応する波形部分がパルスの合成によって突出していることが確認される。このように、パルスによって波形が複数の突出部を有することによって、後述するスキャナー１３０での画像の走査における画質が改善される。
【００２１】
高圧増幅部１２０は、波形生成部１１０で生成された波形を増幅し、増幅した結果をスキャナー１３０に出力する。
【００２２】
特に、高圧増幅部１２０は、波形生成部１１０でパルスが合成されて生成された波形を増幅する。
【００２３】
スキャナー１３０は、高圧増幅部１２０から受信した波形にしたがって、画像をディスプレイ画面上に走査する。
【００２４】
図３Ａないし図３Ｃのようなパルスが合成された波形が入力されれば、スキャナー１３０は、パルスが合成された波形にしたがって、画像をディスプレイ画面上に走査する。スキャナー１３０は、パルスによって波形が突出した部分を基準として、画像の各ピクセルを走査することによって、ピクセルとピクセルとの間に画像が走査されることを防止しうる。したがって、パルスが合成された波形にしたがって走査される画像は、画質が改善される。
【００２５】
共振周波数検出部１４０は、スキャナー１３０の共振周波数を検出し、検出した結果を第１乗算部１５０に出力する。
【００２６】
第１乗算部１５０は、共振周波数検出部１４０が検出したスキャナー１３０の共振周波数と入力端子ＩＮ１を通じて入力されたディスプレイ画面の水平解像度とを乗算し、乗算した結果を第１周波数発振部１６０に出力する。ディスプレイ画面の水平解像度は、横ピクセル数を意味する。
【００２７】
例えば、共振周波数が２５［ＫＨｚ］であり、水平解像度が４００［ｐｉｘｅｌ］であれば、第１乗算部１５０は、共振周波数２５［ＫＨｚ］と水平解像度４００［ｐｉｘｅｌ］とを乗算して１０，０００［ＫＨｚ］という乗算結果を出力する。
【００２８】
第１周波数発振部１６０は、第１乗算部１５０の乗算結果に対応するピクセル周波数を発振し、発振した結果を第１パルス生成部１７０に出力する。例えば、第１乗算部１５０から１０，０００［ＫＨｚ］という乗算結果が入力されれば、第１周波数発振部１６０は、この入力結果に対応するピクセル周波数を発振する。
【００２９】
第１パルス生成部１７０は、第１周波数発振部１６０で発振されたピクセル周波数に対応するパルスを生成し、生成されたパルスを波形生成部１１０に出力する。例えば、第１パルス生成部１７０は、図２に示したようなパルスを生成する。パルスの間隔は、第１周波数発振部１６０で発振された周波数によって決定される。
【００３０】
最終的に、波形生成部１１０は、第１パルス生成部１７０から受信したパルスを三角波、矩形波、または正弦波と合成して出力し、合成された波形が高圧増幅部１２０で増幅されてスキャナー１３０に出力されれば、スキャナー１３０は、パルスが合成された波形にしたがって画像をディスプレイ画面にディスプレイする。
【００３１】
図４は、本発明の他の実施形態における画像解像度の改善装置を説明するためのブロック図である。図４に示す画像解像度の改善装置は、静電容量マイクロミラーをスキャナーとして使用するディスプレイ機器に備えられる。
【００３２】
図４に示されるとおり、本発明の他の実施形態における画像解像度の改善装置は、同期検出部２００、波形生成部２１０、高圧増幅部２２０、第１合成部２３０、スキャナー２４０、共振周波数検出部２５０、第２乗算部２６０、第２周波数発振部２７０、及び第２パルス生成部２８０から構成される。
【００３３】
同期検出部２００は、画像の水平同期信号を検出し、検出した結果を波形生成部２１０に出力する。
【００３４】
波形生成部２１０は、三角波、矩形波、または正弦波を生成し、生成した波形を高圧増幅部２２０に出力する。
【００３５】
高圧増幅部２２０は、波形生成部２１０で生成された波形を増幅し、増幅した結果を第１合成部２３０に出力する。
【００３６】
第１合成部２３０は、高圧増幅部２２０で増幅された波形と第２パルス生成部２８０で生成されたパルスとを合成し、合成した波形をスキャナー２４０に出力する。特に、第１合成部２３０は、パルスが合成された三角波、矩形波、及び正弦波のうち何れか一つの波形を出力する。
【００３７】
例えば、第１合成部２３０は、図３Ａないし図３Ｃに示したような波形を合成する。図３Ａは、三角波と図２のパルスとが合成された波形図であり、図３Ｂは、正弦波と図２のパルスとが合成された波形図であり、図３Ｃは、矩形波と図２のパルスとが合成された波形図である。第１合成部２３０によって合成される波形は、各ピクセルに対応する波形部分がパルスの合成によって突出していることが確認される。このように、パルスによって波形が複数の突出部を有することによって、後述するスキャナー２４０での画像の走査における画質が改善される。
【００３８】
スキャナー２４０は、第１合成部２３０から受信した波形にしたがって、画像をディスプレイ画面上に走査する。図３Ａないし図３Ｃのようなパルスが合成された波形が入力されれば、スキャナー２４０は、パルスが合成された波形にしたがって、画像をディスプレイ画面上に走査する。スキャナー２４０は、パルスによって波形が突出した箇所を基準として、各ピクセルに対する画像を走査することによって、ピクセルとピクセルとの間に画像が走査されることを防止しうる。したがって、パルスが合成された波形にしたがって走査される画像は、画質が改善される。
【００３９】
共振周波数検出部２５０は、スキャナー２４０の共振周波数を検出し、検出した結果を第２乗算部２６０に出力する。
【００４０】
第２乗算部２６０は、共振周波数検出部２５０が検出したスキャナー２４０の共振周波数と入力端子ＩＮ２を通じて入力されたディスプレイ画面の水平解像度とを乗算し、乗算した結果を第２周波数発振部２７０に出力する。ディスプレイ画面の水平解像度は、横ピクセル数を意味する。
【００４１】
第２周波数発振部２７０は、第２乗算部２６０の乗算結果に対応するピクセル周波数を発振し、発振した結果を第２パルス生成部２８０に出力する。例えば、第２乗算部２６０から１０，０００［ＫＨｚ］という乗算結果が入力されれば、この入力結果に対応するピクセル周波数を発振する。
【００４２】
第２パルス生成部２８０は、第２周波数発振部２７０で発振されたピクセル周波数に対応するパルスを生成し、生成されたパルスを第１合成部２３０に出力する。例えば、第２パルス生成部２８０は、図２に示したようなパルスを生成する。
【００４３】
最終的に、第１合成部２３０は、高圧増幅部２２０で増幅された波形と第２パルス生成部２８０で生成されたパルスとを合成し、合成された波形がスキャナー２４０に出力されれば、スキャナー２４０は、パルスが合成された波形にしたがって画像をディスプレイ画面にディスプレイする。
【００４４】
図５は、本発明のさらに他の実施形態における画像解像度の改善装置を説明するためのブロック図である。図５に示す画像解像度の改善装置は、静電容量マイクロミラーをスキャナーとして使用するディスプレイ機器に備えられる。
【００４５】
図５に示されるとおり、本発明のさらに他の実施形態における画像解像度の改善装置は、同期検出部３００、波形生成部３１０、第２合成部３２０、高圧増幅部３３０、スキャナー３４０、共振周波数検出部３５０、第３乗算部３６０、第３周波数発振部３７０、及び第３パルス生成部３８０から構成される。
【００４６】
同期検出部３００は、画像の水平同期信号を検出し、検出した結果を波形生成部３１０に出力する。
【００４７】
波形生成部３１０は、三角波、矩形波、または正弦波を生成し、生成した波形を第２合成部３２０に出力する。
【００４８】
第２合成部３２０は、波形生成部３１０で生成された波形と第３パルス生成部３８０で生成されたパルスとを合成し、合成された波形を高圧増幅部３３０に出力する。特に、第２合成部３２０は、パルスが合成された三角波、矩形波、及び正弦波のうち何れか一つの波形を出力する。
【００４９】
例えば、第２合成部３２０は、図３Ａないし図３Ｃに示したような波形を合成する。図３Ａは、三角波と図２のパルスとが合成された波形図であり、図３Ｂは、正弦波と図２のパルスとが合成された波形図であり、図３Ｃは、矩形波と図２のパルスとが合成された波形図である。第２合成部３２０によって合成される波形は、各ピクセルに対応する波形部分がパルスの合成によって突出していることが確認される。このように、パルスによって波形が複数の突出部を有することによって、後述するスキャナー３４０での画像の走査における画質が改善される。
【００５０】
高圧増幅部３３０は、第２合成部３２０で合成された波形を増幅し、増幅した結果をスキャナー３４０に出力する。
【００５１】
スキャナー３４０は、高圧増幅部３３０から受信した波形にしたがって、画像をディスプレイ画面上に走査する。図３Ａないし図３Ｃのようなパルスが合成された波形が入力されれば、スキャナー３４０は、パルスが合成された波形にしたがって、画像をディスプレイ画面上に走査する。スキャナー３４０は、パルスによって波形が突出した部分を基準として、各ピクセルに対する画像を走査することによって、ピクセルとピクセルとの間に画像が走査されることを防止しうる。したがって、パルスが合成された波形にしたがって走査される画像は、画質が改善される。
【００５２】
共振周波数検出部３５０は、スキャナー３４０の共振周波数を検出し、検出した結果を第３乗算部３６０に出力する。
【００５３】
第３乗算部３６０は、共振周波数検出部３５０が検出したスキャナー３４０の共振周波数と入力端子ＩＮ３を通じて入力されたディスプレイ画面の水平解像度とを乗算し、乗算した結果を第３周波数発振部３７０に出力する。ディスプレイ画面の水平解像度は、横ピクセル数を意味する。
【００５４】
第３周波数発振部３７０は、第３乗算部３６０の乗算結果に対応するピクセル周波数を発振し、発進した結果を第３パルス生成部３８０に出力する。例えば、第３乗算部３６０から１０，０００［ＫＨｚ］という乗算結果が入力されれば、この入力結果に対応するピクセル周波数を発振する。
【００５５】
第３パルス生成部３８０は、第３周波数発振部３７０で発振されたピクセル周波数に対応するパルスを生成し、生成されたパルスを第２合成部３２０に出力する。例えば、第３パルス生成部３８０は、図２に示したようなパルスを生成する。
【００５６】
最終的に、第２合成部３２０は、波形生成部３１０で生成された波形と第３パルス生成部３８０で生成されたパルスとを合成し、合成された波形が高圧増幅部３３０によって増幅されてスキャナー３４０に出力されれば、スキャナー３４０は、パルスが合成された波形にしたがって画像をディスプレイ画面にディスプレイする。
【００５７】
以下、本発明の一実施形態における画像解像度の改善方法を添付された図面を参照して詳細に説明する。
【００５８】
図６は、本発明の一実施形態における画像解像度の改善方法を説明するためのフローチャートである。
【００５９】
まず、第１乗算部が、共振周波数検出部が検出したスキャナーの共振周波数とディスプレイ画面の水平解像度とを乗算する（ステップ４００）。水平解像度は、ディスプレイ画面の横ピクセル数を意味する。
【００６０】
ステップ４００に示す処理の後に、第１周波数発振部が、乗算結果に対応するピクセル周波数を発振する（ステップ４０２）。例えば、１０，０００［ＫＨｚ］という乗算結果が入力されれば、第１周波数発振部は、この入力結果に対応するピクセル周波数を発振する。
【００６１】
ステップ４０２に示す処理の後に、第１パルス生成部が、発振されたピクセル周波数に対応するパルスを生成し、波形発生部に出力する（ステップ４０４）。例えば、第１パルス生成部は、図２に示したようなパルスを生成する。パルスの間隔は、発振された周波数によって決定される。
【００６２】
ステップ４０４に示す処理の後に、波形生成部が、パルスが付加された波形を生成する（ステップ４０６）。
【００６３】
波形生成部は、受信したパルスを三角波、矩形波、または正弦波と合成し、パルスが合成された三角波、矩形波、または正弦波を出力する。図３は、パルスが合成された多様な波形の一例を示す波形図である。図３Ａは、三角波と図２のパルスとが合成された波形図であり、図３Ｂは、正弦波と図２のパルスとが合成された波形図であり、図３Ｃは、矩形波と図２のパルスとが合成された波形図である。
【００６４】
ステップ４０６に示す処理の後に、高圧増幅部が、波形生成部で生成されたパルスが付加された波形を増幅する（ステップ４０８）。
【００６５】
ステップ４０８に示す処理の後に、スキャナーが、増幅された波形にしたがって画像をディスプレイ画面上に走査する（ステップ４１０）。図３Ａないし図３Ｃのようなパルスが合成された波形が入力されれば、スキャナーは、パルスによって波形が突出した部分を基準として、各ピクセルに対する画像を走査することによって、ピクセルとピクセルとの間に画像が走査されることを防止しうる。したがって、パルスが合成された波形にしたがって走査される画像は、画質が改善される。
【００６６】
図７は、本発明の他の実施形態における画像解像度の改善方法を説明するためのフローチャートである。
【００６７】
まず、第２乗算部が、共振周波数検出部が検出したスキャナーの共振周波数とディスプレイ画面の水平解像度とを乗算する（ステップ５００）。水平解像度は、ディスプレイ画面の横ピクセル数を意味する。
【００６８】
ステップ５００に示す処理の後に、第２周波数発振部が、乗算結果に対応するピクセル周波数を発振する（ステップ５０２）。例えば、１０，０００［ＫＨｚ］という乗算結果が入力されれば、第２周波数発振部は、この入力結果に対応するピクセル周波数を発振する。
【００６９】
ステップ５０２に示す処理の後に、第２パルス生成部が、発振されたピクセル周波数に対応するパルスを生成する（ステップ５０４）。例えば、第２パルス生成部は、図２に示したようなパルスを生成する。パルスの間隔は、発振された周波数によって決定される。
【００７０】
ステップ５０４に示す処理の後に、第１合成部が、波形生成部で生成されて高圧増幅部で増幅された波形と、ステップ５０４に示す処理で生成されたパルスとを合成し、合成された波形をスキャナーに出力する（ステップ５０６）。
【００７１】
第１合成部は、増幅された三角波、矩形波、または正弦波と、生成されたパルスとを合成し、パルスが合成された三角波、矩形波、または正弦波を出力する。図３は、パルスが合成された多様な波形の一例を示す波形図である。図３Ａは、三角波と図２のパルスとが合成された波形図であり、図３Ｂは、正弦波と図２のパルスとが合成された波形図であり、図３Ｃは、矩形波と図２のパルスとが合成された波形図である。
【００７２】
ステップ５０６に示す処理の後に、スキャナーが、合成された波形にしたがって画像をディスプレイ画面上に走査する（ステップ５０８）。図３Ａないし図３Ｃのようなパルスが合成された波形が入力されれば、スキャナーは、パルスによって波形が突出した部分を基準として、各ピクセルに対する画像を走査することによって、ピクセルとピクセルとの間に画像が走査されることを防止しうる。したがって、パルスが合成された波形にしたがって走査される画像は、画質が改善される。
【００７３】
図８は、本発明のさらに他の実施形態における画像解像度の改善方法を説明するためのフローチャートである。
【００７４】
まず、第３乗算部が、共振周波数検出部が検出したスキャナーの共振周波数とディスプレイ画面の水平解像度とを乗算する（ステップ６００）。水平解像度は、ディスプレイ画面の横ピクセル数を意味する。
【００７５】
ステップ６００に示す処理の後に、第３周波数発振部が、乗算結果に対応するピクセル周波数を発振する（ステップ６０２）。例えば、１０，０００［ＫＨｚ］という乗算結果が入力されれば、第３周波数発振部は、この入力結果に対応するピクセル周波数を発振する。
【００７６】
ステップ６０２に示す処理の後に、第３パルス生成部が、発振されたピクセル周波数に対応するパルスを生成する（ステップ６０４）。例えば、第３パルス生成部は、図２に示したようなパルスを生成する。パルスの間隔は、発振された周波数によって決定される。
【００７７】
ステップ６０４に示す処理の後に、第２合成部が、波形生成部で生成された波形とステップ６０４に示す処理で生成されたパルスとを合成し、合成された波形を高圧増幅部に出力する（ステップ６０６）。
【００７８】
第２合成部は、生成された三角波、矩形波、または正弦波と、生成されたパルスとを合成し、パルスが合成された三角波、矩形波、または正弦波を出力する。図３は、パルスが合成された多様な波形の一例を示す波形図である。図３Ａは、三角波と図２のパルスとが合成された波形図であり、図３Ｂは、正弦波と図２のパルスとが合成された波形図であり、図３Ｃは、矩形波と図２のパルスとが合成された波形図である。
【００７９】
ステップ６０６に示す処理の後に、高圧増幅部が、合成された波形を増幅する（ステップ６０８）。
【００８０】
ステップ６０８に示す処理の後に、スキャナーが、増幅された波形にしたがって画像をディスプレイ画面上に走査する（ステップ６１０）。図３Ａないし図３Ｃのようなパルスが合成された波形が入力されれば、スキャナーは、パルスによって波形が突出した部分を基準として、各ピクセルに対する画像を走査することによって、ピクセルとピクセルとの間に画像が走査されることを防止しうる。したがって、パルスが合成された波形にしたがって走査される画像は、画質が改善される。
【００８１】
一方、前述した本発明の方法発明は、コンピュータで読み取り可能なコード／命令／プログラムで具現され、媒体、例えば、コンピュータで読み取り可能な記録媒体を利用して、前記コード／命令／プログラムを動作させる汎用デジタルコンピュータで具現されうる。前記コンピュータで読み取り可能な記録媒体は、磁気記録媒体（例えば、ＲＯＭ、フロッピーディスク（登録商標）、ハードディスク、磁気テープなど）、光学的判読媒体（例えば、ＣＤ−ＲＯＭ、ＤＶＤなど）、及びキャリアウェーブ（搬送波、例えば、インターネットを通じた伝送）などのような記録媒体を含む。また、本発明の実施形態は、コンピュータで読み取り可能なコードを内蔵する媒体として具現され、ネットワークを通じて連結された複数のコンピュータシステムに分配されて処理される。本発明を実現する機能的なプログラム、コード、及びコードセグメントは、本発明が属する技術分野のプログラマーによって容易に推論されうる。
【００８２】
このような本願発明の画像解像度の改善方法及び装置は、理解を助けるために図面に示した実施形態を参照して説明されたが、これは、例示的なものに過ぎず、当業者ならば、これから多様な変形及び均等な他の実施形態が可能であるという点を理解できるであろう。したがって、本発明の真の技術的保護範囲は、特許請求の範囲によって決まらねばならない。
【産業上の利用可能性】
【００８３】
本発明は、ディスプレイ機器関連の技術分野に適用可能である。
【図面の簡単な説明】
【００８４】
【図１】本発明の一実施形態における画像解像度の改善装置を説明するためのブロック図である。
【図２】パルス生成部で生成されたパルスの一例を示す図面である。
【図３Ａ】図２に示されたパルスが合成された多様な波形の一例を示す波形図である。
【図３Ｂ】図２に示されたパルスが合成された多様な波形の一例を示す波形図である。
【図３Ｃ】図２に示されたパルスが合成された多様な波形の一例を示す波形図である。
【図４】本発明の他の実施形態における画像解像度の改善装置を説明するためのブロック図である。
【図５】本発明さらに他の実施形態における画像解像度の改善装置を説明するためのブロック図である。
【図６】本発明の一実施形態における画像解像度の改善方法を説明するためのフローチャートである。
【図７】本発明の他の実施形態における画像解像度の改善方法を説明するためのフローチャートである。
【図８】本発明のさらに他の実施形態による画像解像度の改善方法を説明するためのフローチャートである。
【符号の説明】
【００８５】
１００    同期検出部、
１１０    波形生成部、
１２０    高圧増幅部、
１３０    スキャナー、
１４０    共振周波数検出部、
１５０    第１乗算部、
１６０    第１周波数発振部、
１７０    第１パルス生成部、
ＩＮ１    入力端子。
【図１】
2007183606.tif 000003
【図２】
2007183606.tif 000004
【図３Ａ】
2007183606.tif 000005
【図３Ｂ】
2007183606.tif 000006
【図３Ｃ】
2007183606.tif 000007
【図４】
2007183606.tif 000008
【図５】
2007183606.tif 000009
【図６】
2007183606.tif 000010
【図７】
2007183606.tif 000011
【図８】
2007183606.tif 000012